(57)【要約】【課題】商品サンプル室の背板を用いずに簡単な構成で安定的にサンプル保持台を取り付けられる自動販売機を提供する。【解決手段】スイッチ取付板３６に取り付けられる保持台取付板４３と、保持台取付板上に設けられるサンプル保持台４４を備える。保持台取付板は、底壁４６前端の一部を下側に折曲し、スイッチ取付板に取り付けられる取付フランジ４８と位置決め部５２を有し、サンプル保持台は、背壁４７上端に係合する係合部６４を有し、係合部が係合した状態で、位置決め部５２により移動が阻止され、前壁５７は底壁４６の取付フランジ以外の部分上に載置される。【選択図】図４
2014056386.tif 000002
【特許請求の範囲】
【請求項１】
本体の前面開口を開閉自在に閉塞する外扉と、該外扉内に構成され、商品のサンプルを陳列する商品サンプル室とを備えた自動販売機において、
前記外扉に設けられ、前記商品サンプル室の前面に位置する透明なウィンド板と、
前記商品サンプル室の背面に位置する背板と、
前記ウィンド板の内面側に設けられたスイッチ取付板と、
前記ウィンド板の外面側に配置され、当該ウィンド板を前記スイッチ取付板と共に挟持するかたちで当該スイッチ取付板に取り付けられる商品選択スイッチと、
前記商品サンプル室内に位置して前記スイッチ取付板に取り付けられる保持台取付板と、
該保持台取付板上に設けられ、前記商品のサンプルを保持するためのサンプル保持台とを備え、
前記保持台取付板は、底壁と、背壁と、前記底壁前端の一部を下側に折曲することにより形成され、前記スイッチ取付板に取り付けられる取付フランジと、前記背壁上端に形成された位置決め部とを有し、
前記サンプル保持台は、上壁と、前壁と、前記上壁後端に設けられ、前記保持台取付板の背壁上端に着脱可能に係合する係合部とを有し、該係合部が前記背壁上端に係合した状態で、前記保持台取付板の位置決め部により左右方向への移動が阻止され、前記前壁は前記保持台取付板の底壁の前記取付フランジ以外の部分の上に載置されることを特徴とする自動販売機。
【請求項２】
前記サンプル保持台の係合部は、前記サンプル保持台の上壁後端から前記保持台取付板の背壁後面に降下する係合爪と、該係合爪の前側に位置して前記サンプル保持台の上壁下面に形成された突部により構成されると共に、該突部の前記係合爪側の面は、前下方に傾斜する傾斜面とされていることを特徴とする請求項１に記載の自動販売機。
【請求項３】
前記サンプル保持台の上壁と前記保持台取付板の底壁間に設けられた照明装置を備え、前記商品のサンプル、前記サンプル保持台は透光性の素材にて構成されると共に、前記保持台取付板の底壁には、透光部が形成されていることを特徴とする請求項１又は請求項２に記載の自動販売機。
【請求項４】
前記照明装置は、ＬＥＤ素子にて構成されていることを特徴とする請求項３に記載の自動販売機。
【請求項５】
上下反転することで冷／温を切換表示可能な透光性の冷温表示板と、前記サンプル保持台に形成され、前記冷温表示板を当該サンプル保持台の前壁前側に挿脱可能に保持する表示板保持部とを備え、該表示板保持部に前記冷温表示板が挿入された状態で、前記スイッチ取付板は前記冷温表示板の下部を隠蔽することを特徴とする請求項３又は請求項４に記載の自動販売機。
【請求項６】
前記冷温表示板は、上下に形成された冷表示部及び温表示部と、これら表示部の間に形成された透明部とを有し、前記スイッチ取付板は該透明部下側に位置する前記冷表示部又は温表示部を隠蔽することを特徴とする請求項５に記載の自動販売機。
【発明の詳細な説明】
【技術分野】
【０００１】
本発明は、外扉内に構成された商品サンプル室を備えた自動販売機に関するものである。
【背景技術】
【０００２】
従来よりこの種自動販売機においては、本体の前面を閉塞する外扉の上部に商品サンプル室が構成され、この商品サンプル室に販売する商品のサンプルを陳列している。この場合、外扉には商品サンプル室の前面に位置して透明なウィンド板が取り付けられ、このウィンド板の外面に商品選択スイッチが取り付けられる。また、商品サンプル室の背面に位置する背板には商品選択スイッチの後方に対応してサンプル保持台が取り付けられ、サンプルはこのサンプル保持台に保持される構造とされていた（（例えば、特許文献１参照）。
【先行技術文献】
【特許文献】
【０００３】
【特許文献１】特開２００４−８６８５３号公報
【発明の概要】
【発明が解決しようとする課題】
【０００４】
上述のように従来では商品のサンプルを保持するサンプル保持台が、商品サンプル室の背板に取り付けられる構造とされていたため、背板の前面に大きく広告パネル等を取り付けて広告を行うことが難しく、商品サンプル室の背景は、白色等の塗装が施された背板の前面にて構成されるのみであった。
【０００５】
本発明は、係る従来の技術的課題を解決するためになされたものであり、商品サンプル室の背板を用いずに簡単な構成で安定的にサンプル保持台を取り付けられる自動販売機を提供することを目的とするものである。
【課題を解決するための手段】
【０００６】
上記課題を解決するために本発明の自動販売機は、本体の前面開口を開閉自在に閉塞する外扉と、この外扉内に構成され、商品のサンプルを陳列する商品サンプル室とを備えたものであって、外扉に設けられ、商品サンプル室の前面に位置する透明なウィンド板と、商品サンプル室の背面に位置する背板と、ウィンド板の内面側に設けられたスイッチ取付板と、ウィンド板の外面側に配置され、当該ウィンド板をスイッチ取付板と共に挟持するかたちで当該スイッチ取付板に取り付けられる商品選択スイッチと、商品サンプル室内に位置してスイッチ取付板に取り付けられる保持台取付板と、この保持台取付板上に設けられ、商品のサンプルを保持するためのサンプル保持台とを備え、保持台取付板は、底壁と、背壁と、底壁前端の一部を下側に折曲することにより形成され、スイッチ取付板に取り付けられる取付フランジと、背壁上端に形成された位置決め部とを有し、サンプル保持台は、上壁と、前壁と、上壁後端に設けられ、保持台取付板の背壁上端に着脱可能に係合する係合部とを有し、この係合部が背壁上端に係合した状態で、保持台取付板の位置決め部により左右方向への移動が阻止され、前壁は保持台取付板の底壁の取付フランジ以外の部分の上に載置されることを特徴とする。
【０００７】
請求項２の発明の自動販売機は、上記発明においてサンプル保持台の係合部は、サンプル保持台の上壁後端から保持台取付板の背壁後面に降下する係合爪と、この係合爪の前側に位置してサンプル保持台の上壁下面に形成された突部により構成されると共に、この突部の係合爪側の面は、前下方に傾斜する傾斜面とされていることを特徴とする。
【０００８】
請求項３の発明の自動販売機は、上記各発明においてサンプル保持台の上壁と保持台取付板の底壁間に設けられた照明装置を備え、商品のサンプル、サンプル保持台は透光性の素材にて構成されると共に、保持台取付板の底壁には、透光部が形成されていることを特徴とする。
【０００９】
請求項４の発明の自動販売機は、上記発明において照明装置は、ＬＥＤ素子にて構成されていることを特徴とする。
【００１０】
請求項５の発明の自動販売機は、請求項３又は請求項４の発明において上下反転することで冷／温を切換表示可能な透光性の冷温表示板と、サンプル保持台に形成され、冷温表示板を当該サンプル保持台の前壁前側に挿脱可能に保持する表示板保持部とを備え、この表示板保持部に冷温表示板が挿入された状態で、スイッチ取付板は冷温表示板の下部を隠蔽することを特徴とする。
【００１１】
請求項６の発明の自動販売機は、上記発明において冷温表示板は、上下に形成された冷表示部及び温表示部と、これら表示部の間に形成された透明部とを有し、スイッチ取付板はこの透明部下側に位置する冷表示部又は温表示部を隠蔽することを特徴とする。
【発明の効果】
【００１２】
本発明によれば、本体の前面開口を開閉自在に閉塞する外扉と、この外扉内に構成され、商品のサンプルを陳列する商品サンプル室とを備えた自動販売機において、外扉に設けられ、商品サンプル室の前面に位置する透明なウィンド板と、商品サンプル室の背面に位置する背板と、ウィンド板の内面側に設けられたスイッチ取付板と、ウィンド板の外面側に配置され、当該ウィンド板をスイッチ取付板と共に挟持するかたちで当該スイッチ取付板に取り付けられる商品選択スイッチと、商品サンプル室内に位置してスイッチ取付板に取り付けられる保持台取付板と、この保持台取付板上に設けられ、商品のサンプルを保持するためのサンプル保持台とを備えているので、商品のサンプルを保持するサンプル保持台を、商品選択スイッチをウィンド板に取り付けるためのスイッチ取付板に取り付けられた保持台取付板上に設けることができるようになる。
【００１３】
これにより、商品サンプル室の背面に位置する背板にサンプル保持台を取り付ける必要が無くなるので、背板の前面に大型の広告パネル等を設けて広告を行うことが可能となる。従って、自動販売機による商品の販売促進効果を著しく改善することができるようになる。
【００１４】
この場合、保持台取付板は、底壁と、背壁と、底壁前端の一部を下側に折曲することにより形成され、スイッチ取付板に取り付けられる取付フランジと、背壁上端に形成された位置決め部とを有し、サンプル保持台は、上壁と、前壁と、上壁後端に設けられ、保持台取付板の背壁上端に着脱可能に係合する係合部とを有しており、この係合部が背壁上端に係合した状態で、保持台取付板の位置決め部により左右方向への移動が阻止され、前壁が保持台取付板の底壁の取付フランジ以外の部分の上に載置されるようにしたので、極めて簡単な構成で保持台取付板をスイッチ取付板に取り付けることができるようになると共に、サンプル保持台も安定的に保持台取付板上に配置することができるようになるものである。
【００１５】
また、請求項２の発明の如くサンプル保持台の係合部を、サンプル保持台の上壁後端から保持台取付板の背壁後面に降下する係合爪と、この係合爪の前側に位置してサンプル保持台の上壁下面に形成された突部により構成し、この突部の係合爪側の面を、前下方に傾斜する傾斜面とすれば、サンプル保持台の係合部を保持台取付板の背壁上端に係合し易くなる。これにより、サンプル保持台を保持台取付板上に極めて容易且つ安定的に配置することができるようになる。
【００１６】
更に、請求項３の発明の如くサンプル保持台の上壁と保持台取付板の底壁間に照明装置を設け、商品のサンプル、サンプル保持台を透光性の素材にて構成すれば、照明装置からの光により商品のサンプルを下方から照明し、際立たせることが可能となる。更に、保持台取付板の底壁に透光部を形成しているので、照明装置から漏れた光により下方のサンプルを上方から照明することも可能となる。
【００１７】
これらにより、商品のサンプルを商品サンプル室内において浮遊感を持たせて陳列することができるようになり、これによっても商品の販売促進効果を顕著に向上させることが可能となる。
【００１８】
この場合、請求項４の発明の如く照明装置をＬＥＤ素子にて構成すれば、蛍光灯等の照明器具を用いる場合に比して、省エネルギーと省資源にも寄与することができるようになる。
【００１９】
また、請求項５の発明によれば、請求項３又は請求項４の発明に加えて上下反転することで冷／温を切換表示可能な透光性の冷温表示板と、サンプル保持台に形成され、冷温表示板を当該サンプル保持台の前壁前側に挿脱可能に保持する表示板保持部とを備え、この表示板保持部に冷温表示板が挿入された状態で、スイッチ取付板が冷温表示板の下部を隠蔽するようにしたので、冷温表示板を反転させ、スイッチ取付板を利用して下部を隠蔽することで、冷／温の切換表示を実現することが可能となる。
【００２０】
この場合、請求項６の発明の如く冷温表示板の上下に冷表示部及び温表示部を形成すると共に、これら表示部の間に透明部を形成し、スイッチ取付板によって透明部下側に位置する冷表示部又は温表示部を隠蔽するようにすれば、スイッチ取付板の上側に冷温表示板の透明部が位置して照明装置からの光を通過させることになるので、商品のサンプルの浮遊感をより一層際立たせることができるようなるものである。
【図面の簡単な説明】
【００２１】
【図１】本発明を適用した実施例の自動販売機の正面図である。
【図２】図１の自動販売機の外扉を開放した状態の斜視図である。
【図３】図１の自動販売機の外扉の後方斜視図である。
【図４】図１の自動販売機のサンプル保持台部分の一部切欠拡大側面図である。
【図５】図１の自動販売機の商品選択スイッチ、スイッチ取付板、保持台取付板、及び、サンプル保持台の斜視図である。
【図６】図１の自動販売機の保持台取付板の斜視図である。
【図７】図１の自動販売機の冷温表示板の正面図である。
【発明を実施するための形態】
【００２２】
以下、本発明の実施の形態について、図面を用いて詳細に説明する。図１は実施例の自動販売機１の正面図を示し、図２は外扉３を開いた状態の自動販売機１の斜視図をそれぞれ示している。実施例の自動販売機１は、前面が開口した断熱性の本体２と、この本体２の前面を開閉自在に閉塞するよう一側（実施例では向かって左側）が本体２に回動自在に枢支された外扉３を備えている。
【００２３】
この外扉３の前面上部には商品サンプル室４が構成されており、この商品サンプル室４内に陳列された複数の各商品サンプルＳ（販売する商品のサンプル）に対応して複数の商品選択スイッチ６が配置されている。また、商品サンプル室４の下側の外扉３前面には、広告表示部５が構成されており、この広告表示部５の下側の外扉３前面下部には商品取出口７が構成されている。
【００２４】
更に、外扉３前面の向かって右側（非枢支側）中央部には化粧パネル８が取り付けられており、この化粧パネル８内に位置して硬貨投入口９、返却レバー１１が設けられている。また、この化粧パネル８の向かって左側の外扉３前面には、金額表示器１２が取り付けられている。更に、この金額表示器１２の下側の外扉３前面には紙幣識別装置（ビルバリ）１４が取り付けられており、商品取出口７の向かって右側の外扉３前面には硬貨返却口１３が構成されている。
【００２５】
一方、本体２の内部には上下左右及び後面が断熱壁で囲繞され、前面が開口した商品収納部１６が構成されており、この商品収納部１６は断熱性の仕切板１７によって左右方向が仕切られている。この仕切板１７で仕切られた商品収納部１６内には、販売する商品が蛇行状の商品通路に収納されるサーペンタイン式の商品収納コラム１８が前後方向及び左右方向に複数設けられている。
【００２６】
商品収納部１６の前面には、それぞれ断熱性を有し、商品収納部１６の前面開口の上部側を開閉するための上部側内扉２１と、商品収納部１６の前面開口の下部側を開閉するための下部側内扉２２が設けられている。この下部側内扉２２は本体２に回動自在に枢支されている。
【００２７】
また、下部側内扉２２の下部には商品収納部１６側と外扉３側とを連通する商品搬出口２３が左右方向に並設されている。各商品搬出口２３には開閉自在の搬出扉２４が上縁を中心して回動自在に取り付けられており、前方に案内される商品に押されて回転し、商品搬出口２３を開放して商品を商品取出口７に搬出する構成とされている。また、商品収納部１６の前側下部には、商品収納部１６内において生じる結露水を受容するドレン受け２６が設けられている。
【００２８】
他方、上部側内扉２１は、外扉３の商品サンプル室４の背面に位置して当該外扉３に取り付けられており、外扉３を開閉することにより、上部側内扉２１によって商品収納部１６の前面開口の上部側が開閉される構成とされている。更に、上部側内扉２１は外扉３を開放した状態で、当該外扉３から独立して後方に開閉自在とされ、上部側内扉２１を外扉３から後方に開いた状態で、商品サンプル室４内に陳列される商品サンプルＳを交換できるように構成されている。
【００２９】
次に、図３乃至図７を参照して本発明に係る商品サンプル室４及びその内部に設けられる部材の詳細構造を説明する。外扉３は商品サンプル室４に対応して窓孔が形成されており、この窓孔にはアクリル板等から構成された透明なウィンド板３０が嵌め込まれて取り付けられている。そして、このウィンド板３０が商品サンプル室４の前面に位置するかたちとなる。また、上部側内扉２１は、商品サンプル室４の背面に位置する金属製の前面板３１と、その後側に設けられた断熱材３２と、断熱材３２の下側に設けられた金属製のカバー３３等から構成されている。そして、この上部側内扉２１の前面板３１が商品サンプル室４の背板となる。
【００３０】
前記商品選択スイッチ６は、上記ウィンド板３０の外面側に配置されており、実施例では上下三段で構成されている。各段の商品選択スイッチ６に対応する位置のウィンド板３０の内面側には、スイッチ取付板３６がそれぞれ配置されている。このスイッチ取付板３６は横長の板金から成り、上下方向の前壁３７と、この前壁３７の下端から後方に略水平に延在する底壁３８と、底壁３８の後端から略垂直に起立した被取付フランジ３９と、前壁３７の上端から斜め後方に延在する上壁４１が一体に折曲形成されている。
【００３１】
また、スイッチ取付板３６の前壁３７の後面には止め板４２が取り付けられている。そして、商品選択スイッチ６はウィンド板３０をスイッチ取付板３６と挟持するかたちで、ウィンド板３０を貫通するネジにより、スイッチ取付板３６の止め板４２に取り付けられている。尚、商品選択スイッチ６は電気的接点が内蔵されているものであるが、その周囲の大部分は透光性の樹脂にて構成されている。
【００３２】
そして、このスイッチ取付板３６には更に、商品サンプル室４内に位置して保持台取付板４３が取り付けられ、この保持台取付板４３上に商品サンプルＳを保持するサンプル保持台４４が載置される。
【００３３】
この場合、保持台取付板４３は図６に示す如き横長の板金から成り、底壁４６と、この底壁４６の後端から略垂直に起立した背壁４７が一体に折曲形成されている。底壁４６の前端の一部（実施例では左右と中央の三カ所）は下側に略直角に折曲されており、そこに取付フランジ４８が形成（下側に向けて切り起こし形成）されている。また、底壁４６には複数の透孔（丸孔）４９が穿設されており、この透孔４９により透光部を構成している。更に、背壁４７には角孔５１複数穿設されており、背壁４７の上端の両側部には位置決め部５２がそれぞれ突出形成されている。
【００３４】
係る保持台取付板４３は、取付フランジ４８をスイッチ取付板３６の被取付フランジ３９の前側に宛がい、ネジ５３により両フランジ４８、３９を締め付けることでスイッチ取付板３６に取り付けられている。
【００３５】
一方、サンプル保持台４４は透光性の樹脂素材にて成形されており、上壁５６と、前壁５７とを備えている。上壁５６には、半切り状の透光性商品サンプルＳを保持するための保持孔５８やその前側でこれも透光性ダミーカードを保持するための半円形有底スリット５９が複数形成され、更に、保持孔５８の後側にも同様のダミーカードを保持するためのスリット６１が何れも一体に形成されている。尚、各保持孔５８やスリット５９は各商品選択スイッチ６の後方にそれぞれ対応している。また、上壁５６の後端には垂直に降下する係合爪６２が一体に形成され、この係合爪６２の前側に位置する上壁５６の下面には突部６３が一体に突出形成されている。この突部６３の係合爪６２側の面６３Ａは前下方に傾斜する傾斜面とされており、これら係合爪６２と突部６３間に係合部６４が構成されている。また、前壁５７の両側部には表示板保持腕６５が形成されており、この表示板保持腕６５間において、前壁５７の前側に表示板保持部７０が構成されている（図４）。この表示板保持部７０は後述する冷温表示板７３を保持する部分である。
【００３６】
また、図４や図５において、６６は照明装置である。この照明装置６６はシェードとして機能する透明な横長ケース６７と、このケース６７内に収納された複数のＬＥＤ素子６８から成り、ケース６７の後面から後下方に突出したクリップ部６９を備えている。各ＬＥＤ素子６８はケース６７内に取り付けられた横長の基板７１上面に取り付けられている。
【００３７】
また、図７は冷温表示板７３を示している。この冷温表示板７３は透明樹脂薄板より短冊状に構成されており、上部に冷表示部（実施例では透光性青色地にＣＯＬＤ文字）７４、下部に逆さで温表示部（実施例では透光性赤色地にＨＯＴ文字）７６が構成され、それらの間に透明な透明部７７が構成されている。係る構成により、冷温表示板７３は上下反転することで、その上部において冷（ＣＯＬＤ）／温（ＨＯＴ）を切換表示可能とされている。
【００３８】
以上の構成で、各部材を組み立てる際には、先ずウィンド板３０に前述した如くスイッチ取付板３６を用いて商品選択スイッチ６を取り付ける。尚、商品選択スイッチ６からの配線はスイッチ取付板３６の一側端から引き出し、外扉３の内側において本体２側の配線に接続する。そして、このスイッチ取付板３６にネジ５３を用いて前述した如く保持台取付板４３を取り付ける。
【００３９】
次に、この保持台取付板４３の底壁４６上側、背壁４７の前側に照明装置６６を取り付ける。このとき、後面のクリップ部６９を背壁４７の角孔５１に前方から挿入して係合し、照明装置６６を保持台取付板４３に取り付ける。尚、照明装置６６からの配線も同様に保持台取付板４３の一側端から引き出し、外扉３の内側において本体２側の配線に接続する。
【００４０】
次に、サンプル保持台４４を保持台取付板４３上に載置する。その際、係合部６４を保持台取付板４３の背壁４７上端に上方から着脱可能に係合する。この状態で係合爪６２は背壁４７の後面を降下すると共に、突部６３は背壁４７の前面に位置するので、前後方向の移動は阻止される。また、前壁５７の下端は取付フランジ４８以外の部分の保持台取付板４３の底壁４６上（図６にＸで示す）に載置される。
【００４１】
このとき、突部６３の係合爪６２側の面６３Ａは前下方に傾斜する傾斜面とされているので、係合部６４を容易に背壁４７上端に係合させることができる。また、保持台取付板４３には複数のサンプル保持台４４が並設されるが、各サンプル保持台４４の係合部６４は背壁４７の両端の位置決め部５２の間に隙間無く並ぶかたちとなるので、これによってサンプル保持台４４の左右への移動は阻止され、サンプル保持台４４は上方にのみしか外せなくなる。
【００４２】
そして、冷温表示板７３の例えば冷表示部７４（ＣＯＬＤ）を上としてその両側端をサンプル保持台４４の表示板取付腕６５間に上から挿脱自在に挿入し、前壁５７前側の表示板保持部７０に冷温表示板７３を取り付ける。この状態で、スイッチ取付板３７の上壁４１は冷温表示板７３の透明部７７より下側の下部、即ち、温表示部７６（ＨＯＴ）を隠蔽する（図４）。そして、最後にサンプル保持台４４の例えば保持孔５８に商品サンプルＳを着脱自在に取り付ける。
【００４３】
この状態で照明装置６６のＬＥＤ素子６８に通電し、点灯させると、その光は透明なケース６７及びサンプル保持台４４を通過して透光性の商品サンプルＳを下方から照明する。ＬＥＤ素子６８からの光はまた、冷温表示板７３を後方から照明し、この場合は冷表示部７４のＣＯＬＤの文字を青色地上に浮き出させる。また、この光はその下側の透明部７７から前方に透過する。更に、ＬＥＤ素子６８からの光の一部はケース６７内面で反射して下方に向かい、透孔４９を通過してその下方に位置するサンプル保持台４４上の商品サンプルＳを上から照明すると共に、最下段のものからの光は広告表示部５を上から照明する。
【００４４】
以上詳述した如く本発明では、商品サンプル室４内に位置してスイッチ取付板３６に保持台取付板４３を取り付け、この保持台取付板４３上に、商品サンプルＳを保持するためのサンプル保持台４４を載置するようにしたので、商品サンプルＳを保持するサンプル保持台４４を、商品選択スイッチ６をウィンド板３０に取り付けるためのスイッチ取付板３６に取り付けられた保持台取付板４３上に設けることができるようになる。
【００４５】
これにより、商品サンプル室４の背面に位置する上部側内扉２１の前面板３１（商品サンプル室４の背板）にサンプル保持台４４を取り付ける必要が無くなるので、前面板３１（背板）の前面に大型の広告パネル等を設けて広告を行うことが可能となる。従って、自動販売機１による商品の販売促進効果を著しく改善することができるようになる。
【００４６】
この場合、保持台取付板４３は、底壁４６と、背壁４７と、底壁４６前端の一部を下側に折曲することにより形成され、スイッチ取付板３６の被取付フランジ３９に取り付けられる取付フランジ４８と、背壁４７上端に形成された位置決め部５２とを有し、サンプル保持台４４は、上壁５６と、前壁５７と、上壁５６後端に設けられ、保持台取付板４３の背壁４７上端に着脱可能に係合する係合部６４とを有しており、この係合部６４が背壁４７上端に係合した状態で、保持台取付板４３の位置決め部５２により左右方向への移動が阻止され、前壁５７が保持台取付板４３の底壁４６の取付フランジ４８以外の部分Ｘの上に載置されるので、極めて簡単な構成で保持台取付板４３をスイッチ取付板３６に取り付けることができるようになると共に、サンプル保持台４４も安定的に保持台取付板４３上に配置することができるようになる。
【００４７】
また、サンプル保持台４４の係合部６４を、サンプル保持台４４の上壁５６後端から保持台取付板４３の背壁４７後面に降下する係合爪６２と、この係合爪６２の前側に位置してサンプル保持台４４の上壁５６下面に形成された突部６３により構成し、この突部６３の係合爪６２側の面６３Ａを、前下方に傾斜する傾斜面としているので、サンプル保持台４４の係合部６４を保持台取付板４３の背壁４７上端に係合し易くなる。これにより、サンプル保持台４４を保持台取付板４３上に極めて容易且つ安定的に配置することができるようになる。
【００４８】
更に、サンプル保持台４４の上壁５６と保持台取付板４３の底壁４６間に照明装置６６を設け、商品サンプルＳ、サンプル保持台４４を透光性の素材にて構成しているので、照明装置６６のＬＥＤ素子６８からの光により商品サンプルＳを下方から照明し、際立たせることが可能となる。更に、保持台取付板４３の底壁４６に透孔（透光部）４９を形成しているので、照明装置６６から漏れた光により下方の商品サンプルＳを上方から照明することも可能となる。
【００４９】
これらにより、商品サンプルＳを商品サンプル室４内において浮遊感を持たせて陳列することができるようになり、これによっても商品の販売促進効果を顕著に向上させることが可能となる。この場合、照明装置６６はＬＥＤ素子６８にて構成されているので、蛍光灯等の照明器具を用いる場合に比して、省エネルギーと省資源にも寄与することができるようになる。
【００５０】
また、上下反転することで冷／温を切換表示可能な透光性の冷温表示板７３と、サンプル保持台４４に形成され、冷温表示板７３を当該サンプル保持台４４の前壁５７前側に挿脱可能に保持する表示板保持部７０を設け、この表示板保持部７０に冷温表示板７３が挿入された状態で、スイッチ取付板３６の上壁４１が冷温表示板７３の下部を隠蔽するようにしたので、冷温表示板７３を反転させ、スイッチ取付板３６を利用して下部を隠蔽することで、冷／温の切換表示を実現することが可能となる。
【００５１】
この場合、冷温表示板７３の上下に冷表示部７４及び温表示部７６を形成すると共に、これら表示部７４、７６の間に透明部７７を形成し、スイッチ取付板３６の上壁４１によって透明部７７より下側に位置する冷表示部７４又は温表示部７６を隠蔽するようにしたので、スイッチ取付板３６の上壁４１上側に冷温表示板７３の透明部７７が位置して照明装置６６からの光を通過させることになり、商品サンプルＳの浮遊感をより一層際立たせることができるようなる。
【００５２】
尚、実施例で示した各部材の形状は、それに限られるものでは無く、本発明の趣旨を逸脱しない範囲で種々変更可能であることは云うまでもない。例えば、透光部を構成する透孔４９は切欠でも良く、各保持孔５８やスリット５９、６１の位置や数も適宜設定すれば良い。
【符号の説明】
【００５３】
１  自動販売機
２  本体
３  外扉
４  商品サンプル室
６  商品選択スイッチ
１６  商品収納部
２１  上部側内扉
３０  ウィンド板
３１  前面板（背板）
３６  スイッチ取付板
３８  底壁
３９  被取付フランジ
４１  上壁
４３  保持台取付板
４４  サンプル保持台
４６  底壁
４７  背壁
４８  取付フランジ
４９  透孔（透光部）
５２  位置決め部
５３  ネジ
５６  上壁
５７  前壁
５８  保持孔
５９、６１  スリット
６２  係合爪
６３  突部
６３Ａ  面
６４  係合部
６６  照明装置
６８  ＬＥＤ素子
７０  表示板保持部
７３  冷温表示板
７４  冷表示部
７６  温表示部
７７  透明部
Ｓ  商品サンプル
【図１】
2014056386.tif 000003
【図２】
2014056386.tif 000004
【図３】
2014056386.tif 000005
【図４】
2014056386.tif 000006
【図５】
2014056386.tif 000007
【図６】
2014056386.tif 000008
【図７】
2014056386.tif 000009